(57)【要約】【課題】画像表示装置の非使用時における遊技者や他の遊技客、店員等との干渉を極力防止することが出来る遊技用装置を提供すること。【解決手段】遊技機に対応付けて設置されるとともに、該遊技機の遊技に関連する遊技関連情報を画像表示可能な画像表示装置３１３を備え、前記遊技機の遊技に使用する遊技媒体を遊技者へ貸出可能な遊技用装置３において、前記画像表示装置３１３を前記遊技用装置３の本体３ｂの内部に収容するための収容部２００と、前記画像表示装置３１３を、前記収容部２００に収容される収容位置Ｐ２と、前記遊技用装置３の本体３ｂの前面３ａよりも前方位置であり前記画像表示装置３１３の表示面３１２に表示される表示内容が遊技者から視認可能となる表示位置Ｐ１と、の間で移動自在に案内するための移動案内手段２０５ａ、２０５ｂ、２０６、２０７と、を備える。【選択図】    図４
2005021472.tif 000002
【特許請求の範囲】
【請求項１】
遊技機に対応付けて設置されるとともに、該遊技機の遊技に関連する遊技関連情報を画像表示可能な画像表示装置を備え、前記遊技機の遊技に使用する遊技媒体を遊技者へ貸出可能な遊技用装置において、
前記画像表示装置を前記遊技用装置の本体の内部に収容するための収容部と、
前記画像表示装置を、前記収容部に収容される収容位置と、前記遊技用装置の本体の前面よりも前方位置であり前記画像表示装置の表示面に表示される表示内容が遊技者から視認可能となる表示位置と、の間で移動自在に案内するための移動案内手段と、
を備えることを特徴とする遊技用装置。
【請求項２】
前記移動案内手段は、前記画像表示装置を前記遊技用装置の本体前面に対してほぼ直交する方向を向く姿勢で前記収容位置と前記表示位置との間で移動自在に案内する案内部材にて構成されている請求項１に記載の遊技用装置。
【請求項３】
前記移動案内手段により移動自在に案内される移動体を備え、前記画像表示装置を、上下方向を向く軸部材を介して前記移動体に回動自在に保持した請求項１または２に記載の遊技用装置。
【請求項４】
遊技に使用可能な遊技用価値の大きさを特定可能な遊技用価値情報が記録された遊技用記録媒体を受付け可能な遊技用記録媒体受付装置と、前記遊技用記録媒体受付装置に前記遊技用記録媒体が受付けられたか否かを判定または／および前記遊技用記録媒体受付装置に受付けられた遊技用記録媒体に記録された遊技用価値情報から特定される遊技に使用可能な遊技用価値の大きさがあるか否かを判定する遊技用記録媒体判定手段と、
前記画像表示装置を前記収容位置と前記表示位置との間で移動させるための駆動装置と、
該駆動装置の駆動制御を行う駆動制御手段と、
を備え、
前記駆動制御手段は、
前記遊技用記録媒体判定手段が前記遊技用記録媒体が受付けられたと判定したときに、前記駆動装置を駆動して前記収容部に収容された前記画像表示装置を前記表示位置まで移動させ、または／および前記遊技用記録媒体判定手段が前記遊技用記録媒体に記録された遊技用価値情報から特定される遊技に使用可能な遊技用価値の大きさがないと判定したときに、前記駆動装置を駆動して前記表示位置に位置する前記前記画像表示装置を前記収容位置まで移動して前記収容部に収容させる制御を行う請求項１〜３のいずれかに記載の遊技用装置。
【請求項５】
会員を個々に識別可能な会員識別情報が記録された会員用記録媒体を受付け可能な会員用記録媒体受付装置と、
前記会員用記録媒体受付装置に前記会員用記録媒体が受付けられたか否かを判定、または／および前記会員用記録媒体受付装置に受付けられた前記会員用記録媒体が返却されたか否かを判定する会員用記録媒体判定手段と、
前記画像表示装置を前記収容位置と前記表示位置との間で移動させるための駆動装置と、
該駆動装置の駆動制御を行う駆動制御手段と、
を備え、
前記駆動制御手段は、
前記会員用記録媒体判定手段が前記会員用記録媒体が受付けられたと判定したときに、前記駆動装置を駆動して前記収容部に収容された前記画像表示装置を前記表示位置まで移動させ、または／および前記会員用記録媒体判定手段が前記会員用記録媒体が返却されたと判定したときに、前記駆動装置を駆動して前記表示位置に位置する前記画像表示装置を前記収容位置まで移動して前記収容部に収容させる制御を行う請求項１〜４のいずれかに記載の遊技用装置。
【請求項６】
遊技者が操作する操作手段を備え、
該操作手段は、前記画像表示装置の表示面に対して側方を向く側面側に配置されている請求項１〜５のいずれかに記載の遊技用装置。
【請求項７】
遊技者が操作する操作手段を備え、
該操作手段は、前記画像表示装置の表示面に対して側方を向くとともに、前記画像表示装置の表示面側に向けて傾斜する傾斜状に設けられた側面側に配置されている請求項６に記載の遊技用装置。
【請求項８】
遊技者が操作する操作手段を備え、
該操作手段は、前記画像表示装置の表示面を有する表面と、該前記画像表示装置の表示面に対して側方を向く側面と、に配置されている請求項１〜７のいずれかに記載の遊技用装置。
【発明の詳細な説明】
【０００１】
【発明の属する技術の分野】
本発明は、遊技機に対応付けて設置されるとともに、該遊技機の遊技に関連する遊技関連情報を画像表示可能な画像表示装置を備え、前記遊技機の遊技に使用する遊技媒体を遊技者へ貸出可能な遊技用装置に関する。
【０００２】
【従来の技術】
従来、遊技場等に多数設置される遊技機に代表されるパチンコ機やスロットマシン等の側方に対応して並設される遊技用装置にあっては、遊技に関連する遊技関連情報（例えば対応する遊技機の大当り発生状況等）を遊技者に対して報知するための表示手段（例えば液晶表示装置等）を備えたものが知られており、特に遊技用装置に備えられた液晶表示装置にて遊技場に設置された他の遊技機の空席状況等を表示出来るもの等がある（例えば、特許文献１参照）。
【０００３】
【特許文献１】
特開２００２−２６３３４９号公報（第３頁、第２図）
【０００４】
【発明が解決しようとする課題】
このような従来の遊技用装置は、各遊技機間に設置されるものであり、一般的には遊技機を設置するための遊技機設置島に多数の遊技機を設置出来るように極力薄型に形成されている。
【０００５】
しかしながら、上記特許文献１に記載された遊技用装置の液晶表示装置は、遊技用装置の前面から大きく前方に突出するように設けられているため、液晶表示装置の使用時はもとより、非使用時においても遊技者や遊技機設置島間を歩行する遊技客、店員等に干渉しやすく邪魔であるとともに、干渉により表示装置が故障しやすくなるといった問題を有していた。このような問題は、特に遊技者に対する表示内容の視認性を高めるために表示画面を大型化する際において大きな弊害となっていた。
【０００６】
よって、本発明は上記した問題点に着目してなされたもので、画像表示装置の非使用時における遊技者や他の遊技客、店員等との干渉を極力防止することが出来る遊技用装置を提供することを目的としている。
【０００７】
【課題を解決するための手段】
前記した問題を解決するために、本発明の遊技用装置は、遊技機に対応付けて設置されるとともに、該遊技機の遊技に関連する遊技関連情報を画像表示可能な画像表示装置を備え、前記遊技機の遊技に使用する遊技媒体を遊技者へ貸出可能な遊技用装置において、
前記画像表示装置を前記遊技用装置の本体の内部に収容するための収容部と、
前記画像表示装置を、前記収容部に収容される収容位置と、前記遊技用装置の本体の前面よりも前方位置であり前記画像表示装置の表示面に表示される表示内容が遊技者から視認可能となる表示位置と、の間で移動自在に案内するための移動案内手段と、
を備えることを特徴としている。
この特徴によれば、表示位置においては表示面が遊技用装置の本体の前面よりも前方位置となって遊技者に近づくため、使用時における画像表示装置の表示面の視認性の低下が防止されるとともに、例えば遊技者が画像表示装置を使用しないときや対応する遊技機にて遊技を行う遊技者がいないとき等の非使用時において、表示位置の画像表示装置を遊技用装置の本体の内部に設けられた収容部に収容することが出来るため、非使用時において画像表示装置が遊技者や他の遊技客、店員等と干渉して邪魔になったり、干渉による画像表示装置の故障が極力防止されるばかりか、表示面の大型化等を図ることが可能となる。
【０００８】
本発明の遊技用装置の前記移動案内手段は、前記画像表示装置を前記遊技用装置の本体前面に対してほぼ直交する方向を向く姿勢で前記収容位置と前記表示位置との間で移動自在に案内する案内部材にて構成されていることが好ましい。
このようにすれば、画像表示装置の表示面の大きさに関りなく、画像表示装置を遊技用装置の本体内部の収容部にコンパクトに収容することが出来る。
【０００９】
本発明の遊技用装置は、前記移動案内手段により移動自在に案内される移動体を備え、前記画像表示装置を、上下方向を向く軸部材を介して前記移動体に対して回動自在に保持したことが好ましい。
このようにすれば、画像表示装置の表示面を上下方向を向く軸部材により回動させることにより、表示面を遊技者が見やすい角度に調整することが出来るため、表示面の視認性をより効果的に向上させることが出来る。
【００１０】
本発明の遊技用装置は、遊技に使用可能な遊技用価値の大きさを特定可能な遊技用価値情報が記録された遊技用記録媒体を受付け可能な遊技用記録媒体受付装置と、
前記遊技用記録媒体受付装置に前記遊技用記録媒体が受付けられたか否かを判定または／および前記遊技用記録媒体受付装置に受付けられた遊技用記録媒体に記録された遊技用価値情報から特定される遊技に使用可能な遊技用価値の大きさがあるか否かを判定する遊技用記録媒体判定手段と、
前記画像表示装置を前記収容位置と前記表示位置との間で移動させるための駆動装置と、
該駆動装置の駆動制御を行う駆動制御手段と、
を備え、
前記駆動制御手段は、
前記遊技用記録媒体判定手段が前記遊技用記録媒体が受付けられたと判定したときに、前記駆動装置を駆動して前記収容部に収容された前記画像表示装置を前記表示位置まで移動させ、または／および前記遊技用記録媒体判定手段が前記遊技用記録媒体に記録された遊技用価値情報から特定される遊技に使用可能な遊技用価値の大きさがないと判定したときに、前記駆動装置を駆動して前記表示位置に位置する前記前記画像表示装置を前記収容位置まで移動して前記収容部に収容させる制御を行うことが好ましい。
このようにすれば、遊技用記録媒体の受付け状況や遊技用記録媒体に記録された遊技用価値情報から特定される遊技に使用可能な遊技用価値の大きさの状況に応じて画像表示装置が移動することになるため、遊技者は画像表示装置を移動させる操作を行うことなく画像表示装置を使用したり収容することが出来る。
【００１１】
本発明の遊技用装置は、会員を個々に識別可能な会員識別情報が記録された会員用記録媒体を受付け可能な会員用記録媒体受付装置と、
前記会員用記録媒体受付装置に前記会員用記録媒体が受付けられたか否かを判定、または／および前記会員用記録媒体受付装置に受付けられた前記会員用記録媒体が返却されたか否かを判定する会員用記録媒体判定手段と、
前記画像表示装置を前記収容位置と前記表示位置との間で移動させるための駆動装置と、
該駆動装置の駆動制御を行う駆動制御手段と、
を備え、
前記駆動制御手段は、
前記会員用記録媒体判定手段が前記会員用記録媒体が受付けられたと判定したときに、前記駆動装置を駆動して前記収容部に収容された前記画像表示装置を前記表示位置まで移動させ、または／および前記会員用記録媒体判定手段が前記会員用記録媒体が返却されたと判定したときに、前記駆動装置を駆動して前記表示位置に位置する前記画像表示装置を前記収容位置まで移動して前記収容部に収容させる制御を行うことが好ましい。
このようにすれば、会員用記録媒体の受付け状況や返却状況に応じて画像表示装置が移動することになるため、遊技者は画像表示装置を移動させる操作を行うことなく画像表示装置を使用したり収容することが出来る。
【００１２】
本発明の遊技用装置は、遊技者が操作する操作手段を備え、
該操作手段は、前記画像表示装置の表示面に対して側方を向く側面側に配置されていることが好ましい。
このようにすれば、画像表示装置が収容部に収容されていても操作手段は遊技用装置の本体の前面側に位置することになるため、画像表示装置が収容部に収容された収容位置でも操作手段を操作することが出来る。
【００１３】
本発明の遊技用装置は、遊技者が操作する操作手段を備え、
該操作手段は、前記画像表示装置の表示面に対して側方を向くとともに、前記画像表示装置の表示面側に向けて傾斜する傾斜状に設けられた側面側に配置されていることが好ましい。
このようにすれば、操作手段は、遊技者が視認する表示面側、すなわち、遊技者側に向けて配設されているため、遊技者側からの操作性がより向上する。
【００１４】
本発明の遊技用装置は、遊技者が操作する操作手段を備え、
該操作手段は、前記画像表示装置の表示面を有する表面と、該前記画像表示装置の表示面に対して側方を向く側面と、に配置されていることが好ましい。
このようにすれば、画像表示装置が収容部に収容された収納位置または表示位置のいずれの位置にあっても操作手段を操作することが出来る。
【００１５】
【発明の実施の形態】
（実施例）
まず、本実施例の遊技用装置であるカードユニット３について説明すると、このカードユニット３は、前述のように遊技島に並設される遊技機としてのパチンコ機２に１対１に対応して設置される。
【００１６】
カードユニット３の前面には、図２に示すように、各種表示部と紙幣挿入口３０２、硬貨投入口３０３、硬貨返却ボタン３０４、挿通口２１１、硬貨返却口３０８、会員カード挿入口３０９、ビジターカード装着口３１０が設けられている。
【００１７】
カードユニット３の前面に設けられる表示部のうち、多機能表示部３０１は、内部に設けられた多機能ＬＥＤ３０１ａ（図３参照）の発光態様によりカードユニット３の動作状況等が報知される。
【００１８】
また、カードユニット３の前面に設けられた表示部のうち、方向指示表示部３０６は、対応するパチンコ機２の連結方向を示す表示部であり、パチンコ機２と接続されている場合に内部に設けられた方向指示ＬＥＤ３０６ａ（図３参照）が点灯する。挿入中表示部３０７は、会員カードが挿入中である場合に内部に設けられた挿入中ＬＥＤ３０７ａ（図３参照）が点灯する。
【００１９】
カードユニット３の前面に設けられたボタンのうち、硬貨返却ボタン３０４は、硬貨投入口３０３から投入された硬貨が詰まった場合等において、硬貨を返却させる際に押圧するボタンである。
【００２０】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図３参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２１】
また、ビジターカード収容室に遊技用記録媒体の一例であるビジターカードが装着された際には、この装着されたビジターカードの先端がビジターカード装着口３１０から突出する態様にて装着されるようになる。更に、ビジターカード装着口３１０の前面には、透明カバー部材３１１が取付けられており、これによりカードリーダライタ３２７に装着されたビジターカードが、透明カバー部材３１１を通して視認できるとともに、透明カバー部材３１１により装着されたビジターカードの抜き取りができない状態とされる。
【００２２】
カードユニット３における硬貨返却ボタン３０４の下方に設けられた挿通口２１１には、パチンコ機２における遊技に関連する遊技関連情報を表示可能な液晶表示器３１３が、カードユニット３の前面よりも前方（遊技者側）に突出する表示位置と、後述するようにカードユニット３の本体３ｂ内部に設けられた収容部２００内に収容される収容位置と、の間でスライド移動自在に設けられている。この液晶表示器３１３において、遊技者側、すなわち、該カードユニット３に対応するパチンコ機２側を向く表示面３１２を有する正面３１３ａ側には、図２に示すように、４方向スクロールボタン３１５と、メニューボタン３１６と、インターネットボタン３１７と、データボタン３１８と、再プレイボタン３１９と、再プレイ表示部３２０と、が設けられている。
【００２３】
また、この正面３１３ａに対して側方を向く遊技者側の側面３１３ｂは、特に図２に示されるように前記正面３１３ａ側に向けて傾斜する傾斜状に設けられており、この側面３１３ｂには、球貸ボタン３５０と、精算ボタン３５１と、貯球ボタン３５２と、角度調整ボタン３５３、３５４と、が設けられている。
【００２４】
正面３１３ａに設けられた表示面３１２には各種表示画面が表示される。また、表示面３１２の表面はタッチパネル３１４により被覆されており、遊技者が表示面３１２に表示された各種メニューボタンに接触することで各種の操作を行うことが可能とされている。
【００２５】
正面３１３ａにおける表示面３１２下方に設けられたボタンのうち、４方向スクロールボタン３１５は、上下ボタンと左右ボタンとから構成されており、上下ボタンは、表示面３１２に表示された画面を上下方向にスクロールさせる際に押圧されるボタンであり、左右ボタンは、表示面３１２に表示されている表示内容を、その直前または直後に表示された表示内容に切り替える際に押圧されるボタンである。
【００２６】
メニューボタン３１６、インターネットボタン３１７、データボタン３１８は、それぞれメニュー画面（図示略）、インターネットメニュー画面（図示略）、データ画面（図示略）を表示面３１２に表示する際に押圧されるボタンである。また、再プレイボタン３１９は、遊技者が遊技を行うことにより獲得して貯蓄された貯蓄球数を用いて遊技を実施する際に押圧するボタンである。
【００２７】
再プレイ表示部３２０は、再プレイボタン３１９が有効か否かを示す表示部であり、再プレイボタン３１９の操作が有効である場合、すなわち遊技者が貯蓄球数を用いて遊技を実施できる場合に内蔵された再プレイＬＥＤ３２０ａが点灯し、再プレイボタン３１９の操作が有効ではない場合に消灯する。
【００２８】
正面３１３ａに設けられた球貸ボタン３５０および側面３１３ｂに設けられた球貸ボタン３５０は、ビジターカード装着口３１０を介して図示しないビジターカード収容室に収容されたビジターカードに書き込まれた度数から所定度数のパチンコ球を借り受ける際に押圧されるボタンである。
【００２９】
正面３１３ａに設けられた精算ボタン３５１は、会員カード挿入口３０９に挿入された会員カードを返却する際に押圧されるボタンである。正面３１３ａに設けられた貯球ボタン３５２は、会員カード挿入口３０９から挿入された会員カードに、対応するパチンコ機２にて遊技を行うことにより獲得した獲得球数を記録する際に押圧されるボタンである。
【００３０】
角度調整ボタン３５３、３５４は、表示面３１２の表示角度を調整するためのボタンであり、上下に設けられた２つのボタンのうちの上方のボタン３５３を押圧することで表示画面が時計回りに回転し、下方のボタン３５４を押圧することで表示画面が反時計回りに回転するようになっている。
【００３１】
図３は、カードユニット３の構成を示すブロック図である。カードユニット３は、読み出し手段としてのカードリーダライタ３２７と、表示コントローラ３２９と、制御ユニット３２８と、から主に構成されており、カードリーダライタ３２７及び表示コントローラ３２９は、制御ユニット３２８と接続され、各種データの送受が可能とされている。
【００３２】
カードリーダライタ３２７は、会員カードやビジターカードの記録情報の読み出し並びに書き込みを行うとともに、ＨＵＢ８’を介してシステムコントローラ１００とデータ通信可能に接続されており、挿入された会員カードに記録されたカードＩＤの認証や度数の確認等をシステムコントローラ１００との間で行う。
【００３３】
表示コントローラ３２９には、前述した液晶表示器３１３、タッチパネル３１４、各種スイッチ類や前述した再プレイＬＥＤ３２０ａ等の電気部品が接続されている。
【００３４】
表示コントローラ３２９に接続された各種スイッチのうち、スクロールスイッチ３１５ａは、スクロールボタン３１５の操作を検出するスイッチであり、メニュースイッチ３１６ａは、メニューボタン３１６の操作を検出するスイッチであり、インターネットスイッチ３１７ａは、インターネットボタン３１７の操作を検出するスイッチであり、データスイッチ３１８ａは、データボタン３１８の操作を検出するスイッチであり、再プレイスイッチ３１９ａは、再プレイボタン３１９の操作を検出するスイッチであり、球貸スイッチ３５０ａは、球貸ボタン３５０の操作を検出するスイッチであり、精算スイッチ３５１ａは、精算ボタン３５１の操作を検出するスイッチであり、貯球スイッチ３５０ａは、貯球ボタン３５０の操作を検出するスイッチであり、角度調整スイッチ３５３ａ、３５４ａは、角度調整スイッチ３５３、３５４の操作を検出するスイッチである。
【００３５】
表示コントローラ３２９に接続されている電気部品のうちタッチパネル３１４、スクロールスイッチ３１５ａ、メニュースイッチ３１６ａ、インターネットスイッチ３１７ａ、データスイッチ３１８ａ、再プレイスイッチ３１９ａ、球貸スイッチ３５０ａ、精算スイッチ３５１ａ、貯球スイッチ３５０ａ、角度調整スイッチ３５３ａ、３５４ａは、表示コントローラ３２９を介して制御ユニット３２８に接続されており、タッチパネル３１４による位置検出情報や各スイッチの検出信号が制御ユニット３２８に入力される。また、再プレイＬＥＤ３２０ａも、表示コントローラ３２９を介して制御ユニット３２８に接続されており、その点灯制御が制御ユニット３２８により行われる。さらに、後述するように液晶表示器３１３を回動させるための回動用駆動モータ３５７が表示コントローラ３２９を介して制御ユニット３２８に接続されており、その駆動制御が制御ユニット３２８により行われる。
【００３６】
また、表示コントローラ３２９には、液晶表示器３１３の表示駆動を行う表示駆動回路が搭載されており、制御ユニット３２８から出力された表示データに基づいて液晶表示器３１３を駆動する。
【００３７】
制御ユニット３２８には、表示コントローラ３２９を介して接続されたスイッチや表示器等の電気部品に加えて、前述した多機能ＬＥＤ３０１ａや方向指示ＬＥＤ３０６ａ、挿入中ＬＥＤ３０７ａからなる電気部品や、紙幣識別ユニット３２１、硬貨識別ユニット３２２や、後述するように液晶表示器３１３を移動させるための移動用駆動モータ３５５、液晶表示器３１３を表示位置または収容位置にて停止させるためのリミットスイッチ３５６ａ、３５６ｂが接続されている。
【００３８】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３９】
また、制御ユニット３２８には、特に図示しないが、接続されたパチンコ機２に設けられ、パチンコ球の貸出に使用できる度数（遊技用価値）を表示する度数表示器や、パチンコ球の貸出を行う際に操作される貸出ボタンの操作を検知する貸出スイッチ、受付け中の会員カードを返却させる際に操作される返却ボタンの操作を検知する返却スイッチが接続されている。
【００４０】
制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御並びに後述する球貸処理や払戻処理等の各種処理を実行する。
【００４１】
特に本実施例では、制御ユニット３２８に、ＨＴＭＬ（ハイパー・テキスト・マークアップ・ランゲージ）形式にて記載された表示データを液晶表示器３１３に表示させるためのブラウザ機能が搭載されており、配信コンピュータ１３０から配信されたＨＴＭＬ形式の表示データを表示面３１２にて閲覧できるようになっている。また、本実施例では、配信コンピュータ１３０から配信された表示データのみならず、液晶表示器３１３にて表示される全ての表示画面がブラウザ機能により表示される構成とされている。すなわち配信コンピュータ１３０からの表示データの配信に関わらず表示される定型画面も、ＨＴＭＬ形式の表示データに基づいて各画面が液晶表示器３１３に表示されるようになっている。更に、本実施例では、制御ユニット３２８が後述する遊技データカウンタや遊技履歴カウンタの登録データに基づいて対応するパチンコ機２の遊技情報等を表示するための表示データを自ら生成し、ブラウザ機能により液晶表示器３１３に表示させることが可能とされている。
【００４２】
また、制御ユニット３２８は、ＨＵＢ８’を介して会員管理コンピュータ及びシステムコントローラ、配信コンピュータとデータ通信可能に接続されており、各種データの送受が可能とされている。また、対応するパチンコ機２と接続されており、各種信号の送受が実施可能とされている。
【００４３】
また、制御ユニット３２８は、ホールコンピュータに接続されており、後述する球貸処理に基づき貸し出されたパチンコ球数を示す球貸信号や払戻処理により貯蓄球数から払い戻されたパチンコ球数を示す払戻信号等の売上信号がホールコンピュータに対して出力されるようになっている。本実施例では、２５球の球貸が行われる毎に１パルスの球貸信号が出力され、２５球の払戻が行われる毎に１パルスの払戻信号が出力される。
【００４４】
また、制御ユニット３２８は、中継端末４と接続されており、対応するパチンコ機２や、当該パチンコ機２に対して供給されたパチンコ球を検出する供給球検出スイッチ６、当該パチンコ機２から回収されたパチンコ球を検出するアウト球検出スイッチ７から出力された各種遊技情報、すなわちパチンコ機２の遊技に関連して発生する遊技関連情報を示す信号が中継端末４を介して入力されるようになっている。
【００４５】
具体的には、パチンコ機２に対して供給されたパチンコ球数を示す供給信号が供給球検出スイッチ６から出力され、大当り中である旨を示す大当り中信号、確率変動中である旨を示す確変中信号、始動入賞した旨を示す始動信号がパチンコ機２から出力され、パチンコ機２から回収されたパチンコ球数を示す打込信号がアウト球検出スイッチ７から出力されるようになっており、これら出力された信号、すなわちホールコンピュータ１１０にて各パチンコ機２の遊技データとして収集される信号が分岐され、中継端末４を介してカードユニット３に入力されるようになっている。
【００４６】
また、本実施例では、制御ユニット３２８に、対応するパチンコ機２の遊技情報を記憶する遊技データカウンタと、会員遊技者が対応するパチンコ機２において遊技を行っている間の遊技情報を記憶する遊技履歴カウンタと、が設けられている。
【００４７】
遊技データカウンタには、対応するパチンコ機２の大当り間始動回数、総始動回数、大当り回数、確変回数、供給球数、打込球数からなる遊技情報が記憶されており、これら各項目の値は、前述した大当り中信号、確変中信号、始動信号、供給信号、打込信号の受信に応じて逐次最新のデータに更新されるようになっている。また、遊技データカウンタは、開店時にリセットされるため、遊技データカウンタには、対応するパチンコ機２における本日の遊技データが記憶されることとなる。
【００４８】
遊技履歴カウンタには、対応するパチンコ機２の総始動回数、大当り回数、確変回数、供給球数、打込球数からなる遊技データが記憶されており、これら各項目の値は、前述した大当り中信号、確変中信号、始動信号、供給信号、打込信号の受信に応じて逐次最新のデータに更新されるようになっている。また、遊技履歴カウンタは、会員カードが返却された際にリセットされ、次回会員カードが受付けられることでリセットされた状態から各データが計数されることとなるため、遊技履歴カウンタには、会員カードが受付けられてから返却されるまで、すなわち会員遊技者が遊技を開始してから遊技を終了するまでの対応するパチンコ機２の遊技データが記憶されることとなる。
【００４９】
次に、以上説明したように構成された本実施例における遊技用装置としてのカードユニット３の構造、特には液晶表示器３１３の収容構造を、主に図４、図５に基づいて説明する。なお、図４及び図５において、図中左側をカードユニット３の前側、すなわち遊技者側とし、図中右側をカードユニット３の後側として説明する。
【００５０】
図１及び図４、図５に示されるように、カードユニット３の本体３ｂは、前面３ａの左右方向の幅（横幅）が上下方向の幅（高さ）よりも短寸である縦長の薄型箱状に形成されており、その中空状に形成された本体３ｂの内部には、前述した各種ユニットや各種装置や電機部品が配設されているとともに、前記液晶表示部３１３が保持される所定高さ位置には、液晶表示器３１３を収容可能な収容部２００（収容空間部）が設けられている。また、カードユニット３の前面３ａにおける収容部２００に対応する箇所には、液晶表示器３１３を挿通可能とする縦長の長方形状をなす挿通口２１１が開設されている。
【００５１】
本体３ｂにおける前記収容部２００の上下位置には、図４（ｃ）に示されるように縦断面形状がＴ字状をなすガイドレール２０１ａ、２０１ｂが、互いに上下方向を向く軸線上に位置するように、かつ、本体３ｂの前後方向に向けて互いに平行に配設されており、これら上下のガイドレール２０１ａ、２０１ｂ間には、液晶表示器３１３を回動自在に保持する移動体２０２が前後方向に摺動自在に嵌合されている。
【００５２】
詳しくは、移動体２０２は、液晶表示器３１３の厚みよりも若干肉薄の板部材にて構成されており、その前方上下位置には、液晶表示器３１３を回動自在に保持するための保持アーム部２０３ａ、２０３ｂが前方に延びるように形成されている。そして、これら保持アーム部２０３ａの上面側及び保持アーム部２０３ｂの下面側には前後方向を向く凹条２０４が凹設されており、この凹条２０４内に前記ガイドレール２０１ａ、２０１ｂそれぞれの対向面に凸設された前後方向を向くガイド条２０１ｃを嵌合させることで、ガイドレール２０１ａ、２０１ｂによって前記表示位置Ｐ１と収容位置Ｐ２との間でスライド移動自在に案内されるようになっている。
【００５３】
また、保持アーム部２０３ａ、２０３ｂの先端部には、上下方向を向く軸部材２０５ａ、２０５ｂがそれぞれ設けられており、これら軸部材２０５ａ、２０５ｂを中心に液晶表示器３１３が回動自在に保持されている。なお、液晶表示器３１３の本体内には、下方の軸部材２０５ｂに連係された前記回動用駆動モータ３５７が設けられている。
【００５４】
移動体２０２の一方の側面後部には、内周面に雌ねじ部が形成されたナット部材２０６が固着されており、このナット部材２０６は、本体３ｂにおける収容部２００の前後方向に設けられた棒部材２０７の外周面に形成された雄ねじ部に螺合されている。この棒部材２０７の前後端部は、本体３ｂの前後壁に対して軸周りに回動自在に枢支されているとともに、その後端部には、本体３ｂの後壁に固設された移動用モータ３５５の回転軸３５５ａの先端に固着された駆動ギヤ２０８に噛合する従動ギヤ２０９が固着されており、移動用駆動モータ３５５の回転軸３５５ａの回転が駆動ギヤ２０８及び従動ギヤ２０９を介して棒部材２０７に伝達されるようになっている。
【００５５】
この棒部材２０７の外周に螺合されたナット部材２０６は、上下のガイドレール２０１ａ、２０１ｂにより回転不能にガイドされた移動体２０２に固着されているので、棒部材２０７に対して相対回転不能に規制されていることになり、これにより移動体２０２は、移動用駆動モータ３５５が駆動して棒部材２０７が軸心周りに回転することにより、ガイドレール２０１ａ、２０１ｂにて前方もしくは後方に向けてスライド移動自在に案内される。すなわち、これらガイドレール２０１ａ、２０１ｂ、棒部材２０７、ナット部材２０６は液晶表示器３１３の移動案内手段を構成している。
【００５６】
移動体２０２の他方の側面後部には、カードユニット３の本体３ｂにおける対向面（側壁内面）の前後所定箇所に互いに離間して配設されたリミットスイッチ３５６ａ、３５６ｂにそれぞれ当接して押圧する押圧部材２１０が固着されている。この押圧部材２１０は、移動体２０２が表示位置Ｐ１に位置したときに前方のリミットスイッチ３５６ａを押圧し、収容位置Ｐ２に位置したときに後方のリミットスイッチ３５６ｂを押圧するようになっており、これにより、移動体２０２が表示位置Ｐ１もしくは収容位置Ｐ２に位置したことがリミットスイッチ３５６ａ、３５６ｂにて検出されると、前記制御ユニット３２８は、移動用駆動モータ３５５の駆動を停止し、移動体２０２を前記表示位置Ｐ１もしくは収容位置Ｐ２にて停止させる。
【００５７】
次に、表示位置Ｐ１と収容位置Ｐ２との間で移動自在に設けられた液晶表示器３１３の移動状況及び作用を説明すると、まず、液晶表示器３１３が図４（ａ）、（ｂ）に示される表示位置Ｐ１に位置しているとき、ガイドレール２０１ａ、２０１ｂ及びナット部材２０６を介して棒部材２０７にて支持されている移動体２０２の前部及び該移動体２０２に保持された液晶表示器３１３は、カードユニット３の前面３ａの挿通口２１１を介して、前面３ａよりも前方（図中左側）、すなわち、遊技者側に向けて突出した状態となる。詳しくは、液晶表示器３１３の本体全体が前面３ａよりも突出した前方位置に位置している。
【００５８】
液晶表示器３１３は、収容位置Ｐ２と表示位置Ｐ１との間で移動する間、及び収容部２００に収容される収容位置Ｐ２において、カードユニット３の前面３ａに対して直交する方向、言い換えると、表示面３１２を有する正面３１３ａが、当該カードユニット３に対応するパチンコ機２側（該対応するパチンコ機２にて遊技を行う遊技者側（図４（ａ）中下側））であり、カードユニット３の側面に対して平行となる縦向きの姿勢とされており、収容位置Ｐ２から移動して表示位置Ｐ１に位置したとき、回動用駆動モータ３５７が駆動して、上下方向を向く軸部材２０５ａ、２０５ｂを中心として表示面３１２が遊技者側、すなわち、前方を向くように所定角度（例えば約４５度）回転した所定位置（図４（ａ）中２点鎖線で示される位置）にて停止する。
【００５９】
このように表示位置Ｐ１に位置した状態において、液晶表示器３１３の表示面３１２全域が、カードユニット３の本体３ｂの前面３ａよりも前方位置に位置して遊技者に近づくことになるため、使用時における液晶表示器３１３の表示面３１２の視認性の低下が効果的に防止される。
【００６０】
また、液晶表示器３１３は、ガイドレール２０１ａ、２０１ｂにより前後方向に移動自在に案内される移動体２０２に、上下方向を向く軸部材２０５ａ、２０５ｂを介して回動自在に保持されているため、表示面３１２を遊技者が見やすい角度まで回転して使用することが出来るため、表示面３１２の視認性をより効果的に向上させることが出来る。さらには、所定の側面３１３ｂに設けられた角度調整ボタン３５３、３５４を押圧操作することで、表示面３１２の微妙な角度調整を行うことが出来る。
【００６１】
さらに、液晶表示器３１３が移動体２０２に対して回動自在に設けられていることで、例えば液晶表示器３１３が表示位置Ｐ１に位置している状態において、表示面３１２の表示内容を視認しないときは移動体２０２に対して平行となる姿勢とすれば、遊技者やパチンコ機２側に液晶表示器３１３本体が張り出すことがなく、遊技者に干渉するなどして遊技者の遊技の邪魔にならないとともに、視認するときは液晶表示器３１３を回転して表示面３１２を遊技者に向けて使用することが出来る。
【００６２】
また、液晶表示器３１３の本体側面３１３ｂは、表示面３１２に対して側方を向くとともに、表示面３１２側に向けて傾斜する傾斜状に形成されているため、この側面３１３ｂに配設された各種ボタン３５０、３５１、３５２、３５３ａ、３５３ｂは、遊技者が表示面３１２を有する正面３１３ａに対向したときでも遊技者側に臨むことになるため、遊技者側からの操作性が向上する。
【００６３】
次に、液晶表示器３１３が図５（ａ）、（ｂ）に示される収容位置Ｐ２に位置しているとき、すなわち、液晶表示器３１３の本体全体がカードユニット３内に設けられた収容部２００に収容されているときは、カードユニット３の前面３ａから液晶表示器３１３や移動体２０２が突出することがない。このように、例えば遊技者が液晶表示器３１３を使用しないときや、該カードユニット３に対応するパチンコ機２にて遊技を行う遊技者がいないとき等、液晶表示器３１３の非使用時において、表示位置Ｐ１の液晶表示器３１３をカードユニット３の本体３ｂの内部に設けられた収容部２００に収容することが出来るため、非使用時における液晶表示器３１３が遊技者や他の遊技客、店員等と干渉を極力防止することが出来るとともに、干渉による液晶表示器３１３の故障が防止される。
【００６４】
また、液晶表示器３１３は表示面３１２がカードユニット３の表示面３ａに対してほぼ直交する方向を向く縦向きの姿勢で収容部２００に収容されるため、カードユニット３の前面３ａの左右幅寸法を大としてカードユニット３を肉厚に形成する必要がなく、カードユニット３内にコンパクトに収容することが出来る。すなわち、このように縦向きで収容することで、例えば液晶表示器３１３の表示面３１２を大型化した場合にあってもカードユニット３を表示面３１２の大きさに対応して肉厚に形成する必要がないため、例えば図示しない遊技機設置島に多数のパチンコ機２を設置する場合において、カードユニット３が嵩張ってパチンコ機２の設置可能台数が減少するといった事態を極力回避しつつ、液晶表示器３１３の表示面３１２の大型化を図ることが出来る。
【００６５】
さらに、前記各種ボタン３５０、３５１、３５２、３５３ａ、３５３ｂは、液晶表示器３１３の前側の側面３１３ｂに設けられているため、収容部２００に収容された状態でも液晶表示器３１３の側面３１３ｂは挿通口２１１を介して前面３ａの前方に臨むことになる。よって、液晶表示器３１３を収容部２００に収容した状態においても、遊技者は収容された液晶表示器３１３を表示位置Ｐ１まで移動させることなく側面３１３ｂに設けられた前記各種ボタン３５０、３５１、３５２、３５３ａ、３５３ｂの押圧操作を行うことが出来る。
【００６６】
次に、液晶表示器３１３を表示位置Ｐ１と収容位置Ｐ２との間で移動させるための移動用駆動モータ３５５及び回動用駆動モータ３５７の駆動制御内容を説明する。なお、本実施例においては、ビジターカードの状況に基づく駆動制御プログラムと、会員カードの状況に基づく駆動制御プログラムと、を有しており、いずれかのカードの使用状況に応じて駆動制御が選択されるようになっている。
【００６７】
まず、ビジターカードの使用に基づく駆動制御内容を説明すると、移動用駆動モータ３５５及び回動用駆動モータ３５７の駆動制御を行う駆動制御手段としての制御ユニット３２８は、リミットスイッチ３５６ａ、３５６ｂからの検出信号の入力状態を監視しており、例えば後方位置に配設されたリミットスイッチ３５６ｂからの検出信号が入力されているとき、すなわち、液晶表示器３１３が収容位置Ｐ２に停止していると判定したとき、カードリーダライタ３２７へのビジターカードの受付け状況の監視を行う。
【００６８】
そしてカードリーダライタ３２７にビジターカードが受付けられたと判定したとき、すなわち、紙幣識別ユニット３２１もしくは硬貨識別ユニット３２２にて紙幣もしくは硬貨が投入されることによりビジターカードに、投入された紙幣や硬貨の有価価値の大きさを特定可能な遊技用価値情報（度数）が記録されることにより受付けられたと判定したとき、移動用駆動モータ３５５を駆動して収容部２００に収容された収容位置Ｐ２に位置する移動体２０２及び液晶表示器３１３を表示位置Ｐ１まで移動させるとともに、リミットスイッチ３５６ａからの検出信号の入力があったときに移動用駆動モータ３５５の駆動を停止する。すなわち、液晶表示器３１３が表示位置Ｐ１にて停止することになる。
【００６９】
さらに移動用駆動モータ３５５の駆動の停止直後において、回動用モータ３５７を駆動して、液晶表示器３１３を軸部材２０５ａ、２０５ｂを中心として４５度角度回動させ、回動動作終了後に駆動を停止する。
【００７０】
このようにビジターカードがカードリーダライタ３２７に受付けられたときに、液晶表示器３１３を表示位置Ｐ１まで移動させて使用可能な状態とすることで、遊技者は液晶表示器３１３を移動させる操作を行うことなく液晶表示器３１３を使用することが出来るため、使用性が向上する。
【００７１】
また、制御ユニット３２８は、前方位置に配設されたリミットスイッチ３５６ａからの検出信号が入力されているとき、すなわち、液晶表示器３１３が表示位置Ｐ１に停止していると判定し、かつ、カードリーダライタ３２７に受付けられているビジターカードに記録された遊技用価値情報から特定される遊技に使用可能な遊技用価値の大きさ（度数）があるか否かを判定し、遊技に使用可能な度数がないと判定したとき、まず回動用モータ３５７を駆動して、液晶表示器３１３の表示面３１２が前面３ａに対してほぼ直交となる縦向きの姿勢に戻した後、移動用駆動モータ３５５を駆動して表示位置Ｐ１に位置する液晶表示器３１３を収容位置Ｐ２まで移動して収容部２００に収容させる。
【００７２】
このようにビジターカードがカードリーダライタ３２７に受付けられているときにおいて、受付けられたビジターカードに遊技に使用可能な度数がないと判定したとき、液晶表示器３１３を収容位置Ｐ２まで移動させて収容状態とすることで、遊技者は液晶表示器３１３を移動させる操作を行うことなく液晶表示器３１３が収容されることになるため、使用性が向上する。
【００７３】
また、本実施例においては遊技用記録媒体の一例としてビジターカードが使用されていたため、制御ユニット３２８にてカードリーダライタ３２７にビジターカードが受付けられたか否かの判定は、紙幣識別ユニット３２１もしくは硬貨識別ユニット３２２にて紙幣もしくは硬貨が投入されることによりビジターカードに投入された紙幣や硬貨の有価価値の大きさを特定可能な遊技用価値情報（度数）が記録されたか否かを判定することであったが、例えば遊技用記録媒体の他の一例として、遊技に使用可能な遊技用価値の大きさを特定可能な遊技用価値情報（度数）が予め記録されたプリペイドカード等を使用する場合においては、制御ユニット３２８にてカードリーダライタ３２７に挿入されたプリペイドカードに記録された遊技用価値情報（度数）を読み出し、遊技に使用可能な大きさの遊技用価値情報（度数）があると判定することがプリペイドカードが受付けられたと判定することとなる。
【００７４】
次に、会員カードの使用に基づく駆動制御内容を説明すると、制御ユニット３２８は、リミットスイッチ３５６ａ、３５６ｂからの検出信号の入力状態を監視しており、例えば後方位置に配設されたリミットスイッチ３５６ｂからの検出信号が入力されているとき、すなわち、液晶表示器３１３が収容位置Ｐ２に停止していると判定したとき、カードリーダライタ３２７への会員カードの受付け状況の監視を行う。
【００７５】
そして例えばカードリーダライタ３２７に会員カードが受付けられたと判定したとき、移動用駆動モータ３５５を駆動して収容部２００に収容された収容位置Ｐ２に位置する移動体２０２及び液晶表示器３１３を表示位置Ｐ１まで移動させるとともに、リミットスイッチ３５６ａからの検出信号の入力があったときに移動用駆動モータ３５５の駆動を停止する。すなわち、液晶表示器３１３が表示位置Ｐ１にて停止することになる。
【００７６】
さらに移動用駆動モータ３５５の駆動の停止直後において、回動用モータ３５７を駆動して、液晶表示器３１３を軸部材２０５ａ、２０５ｂを中心として４５度角度回動させ、回動動作終了後に駆動を停止する。
【００７７】
このように会員カードがカードリーダライタ３２７に受付けられたとき、すなわち、会員カードがカードリーダライタ３２７に挿入されたときに液晶表示器３１３を表示位置Ｐ１まで移動させて使用可能な状態とすることで、遊技者は液晶表示器３１３を移動させる操作を行うことなく液晶表示器３１３を使用することが出来るため、使用性が向上する。
【００７８】
また、制御ユニット３２８は、前方位置に配設されたリミットスイッチ３５６ａからの検出信号が入力されているとき、すなわち、液晶表示器３１３が表示位置Ｐ１に停止していると判定し、かつ、カードリーダライタ３２７に受付けられていた会員カードが返却されたと判定したとき、まず回動用モータ３５７を駆動して、液晶表示器３１３の表示面３１２が前面３ａに対してほぼ直交となる縦向きの姿勢に戻した後、移動用駆動モータ３５５を駆動して表示位置Ｐ１に位置する液晶表示器３１３を収容位置Ｐ２まで移動して収容部２００に収容させる。
【００７９】
このように会員カードがカードリーダライタ３２７に受付けられているときにおいて、受付けられた会員カードが返却されたと判定したときに液晶表示器３１３を収容位置Ｐ２まで移動させて収容状態とすることで、遊技者は液晶表示器３１３を移動させる操作を行うことなく液晶表示器３１３が収容されることになるため、使用性が向上する。
【００８０】
以上説明したように、制御ユニット３２８は、遊技に使用可能な遊技用価値の大きさを特定可能な遊技用価値情報が記録された遊技用記録媒体の一例であるビジターカードや、会員を個々に識別可能な会員識別情報が記録された会員用記録媒体の一例である会員カード等がカードリーダライタ３２７に受付けられたか否かを判定し、受付けられたと判定したときに収容位置Ｐ２に位置する液晶表示器３１３を表示位置Ｐ１まで移動させるため、遊技者は液晶表示器３１３を移動させる操作を行うことなく液晶表示器３１３を使用することが出来、使用性が向上する。
【００８１】
なお、制御ユニット３２８によるビジターカードや会員カードが受付られたか否かの判定は、遊技に使用可能な遊技用価値の大きさを特定可能な遊技用価値情報（度数）が記録される遊技用記録媒体（ビジターカード、プリペイドカード）である場合、投入された紙幣や硬貨の有価価値の大きさを特定可能な遊技用価値情報（度数）がビジターカードに記録されたか否かの判定とし、また、遊技に使用可能な遊技用価値の大きさを特定可能な遊技用価値情報（度数）が記録されることがない遊技用記録媒体（会員カード）である場合は、該会員カードがカードリーダライタ３２７に挿入されたか否かの判定とすることが好ましい。
【００８２】
また、制御ユニット３２８は、カードリーダライタ３２７に受付られたビジターカードの残度数がなくなったと判定されたとき、あるいは遊技者による返却要求に応じて会員カードがカードリーダライタ３２７から返却されたと判定したとき、表示位置Ｐ１に位置する液晶表示器３１３を収容位置Ｐ２まで移動させて収容させるため、遊技者は液晶表示器３１３を移動させる操作を行うことなく液晶表示器３１３が収容されることになり、使用性が向上するばかりか、遊技者が収容させずに遊技を終了しても液晶表示器３１３が表示位置Ｐ１に位置したまま放置されて邪魔になること等を回避することが出来る。
【００８３】
なお、上記液晶表示器３１３において、球貸ボタン３５０、精算ボタン３５１、貯球ボタン３５２、角度調整ボタン３５３、３５４は、液晶表示器３１３の本体における前側の側面３１３ｂのみに設けられていたが、例えば図６に示されるように、遊技者側、すなわち、該カードユニット３に対応するパチンコ機２側を向く表示面３１２を有する正面３１３ａ側にも、側面３１３ｂに設けられた３５０、３５１、３５２に対応する球貸ボタン３５０’と、精算ボタン３５１’と、貯球ボタン３５２’と、を設けてもよい。
【００８４】
この場合、正面３１３ａおよび側面３１３ｂにそれぞれ設けられた球貸ボタン３５０、３５０’、精算ボタン３５１、３５１’、貯球３５２、３５２’は、正面３１３ａに設けられたボタンもしくは側面３１３ｂに設けられたボタンのいずれかが押圧されたときにその操作が検出される。
【００８５】
このように同一の機能を有するボタンを、液晶表示部３１３の本体正面３１３ａと側面３１３ｂとにそれぞれ配設することで、液晶表示部３１３が収容部２００に収容された収納位置Ｐ２または表示位置Ｐ１のいずれの位置にあっても前記各種ボタンを操作することが出来、操作性がより向上する。
【００８６】
また、上記液晶表示器３１３においては、球貸ボタン３５０、精算ボタン３５１、貯球３５２等の操作手段が、側面３１３ｂのみ、または正面３１３ａ及び側面３１３ｂに同一の機能を有する操作手段が設けられていたが、本発明においては、特に図示はしないが球貸ボタン３５０、精算ボタン３５１、貯球３５２等の操作手段が液晶表示器３１３の正面３１３ａ側のみに設けられていてもよい。
【００８７】
また、上記液晶表示器３１３の本体側面３１３ｂは、表示面３１２に対して側方を向くとともに、表示面３１２側に向けて傾斜する傾斜状に形成されているが、本発明はこれに限定されるものではなく、表示面３１２に対して側方を向くとともに、表示面３１２に対して直交する方向を向くように形成されていてもよい。
【００８８】
（変形例１）
上記実施例における液晶表示器３１３は、移動用駆動モータ３５５を駆動させることにより、該移動用駆動モータ３５５に連係された棒部材３０７及び該棒部材３０７の外周に螺合されたナット部材２０６を介して移動されるようになっていたが、本発明はこれに限定されるものではなく、液晶表示器３１３は表示位置Ｐ１と収容位置Ｐ２との間で移動自在に設けられていれば、手動にて移動できるようになっていてもよい。
【００８９】
図７には、液晶表示器３１３を表示位置Ｐ１と収容位置Ｐ２との間で手動にて移動させるように構成されたカードユニット３’の要部を示す概略構造図が示されている。本変形例におけるカードユニット３’においては、移動用駆動モータ３５５の替わりに、液晶表示器３１３を収容位置Ｐ２から表示位置Ｐ１に向けて付勢する付勢手段としてのコイルバネ３６０が設けられており、該コイルバネ３６０の付勢力により液晶表示器３１３の前方への移動力が付与されるようになっている。なお、本変形例において上記実施例のカードユニット３と同様の構成部位や装置には同様の符号を付すことでここでの詳細な説明は省略することとする。
【００９０】
具体的には、移動体２０２の一方の側面後部と、カードユニット３における収容部２００の後壁所定箇所には、支持部材３６１、３６２がそれぞれ固着されており、これら支持部材３６１、３６２間に前記コイルバネ３６０が保持されている。また、移動体２０２の他方の側面後部には、カードユニット３における収容部２００の後壁における所定箇所に設けられた係止装置３６４に係脱自在な係止爪３６３が設けられており、液晶表示器３１３を収容位置Ｐ２に位置させたときに係止爪３６３が係止装置３６４に係止され、液晶表示器３１３を収容位置Ｐ２にて保持するようになっている。
【００９１】
なお、この係止装置３６４の内部機構の詳細な説明は省略するが、係止爪３６３が挿入されることにより係止爪３６４を係止し、該係止位置からさらに内部に向けて係止爪３６４を押し込むことにより係止状態を解除するプッシュ式の係脱機構が内蔵されているものである。
【００９２】
このように構成された本実施例におけるカードユニット３’においては、例えば表示位置Ｐ１に位置する液晶表示器３１３を、コイルバネ３６０の付勢力に抗して収容位置Ｐ２に向けて押し込むことにより収容位置Ｐ２に収容することが出来、収容位置Ｐ２において係止爪３６３が係止装置３６４にて係止されることで、液晶表示器３１３は収容位置Ｐ２に収容された状態で保持されることになる。
【００９３】
また、収容位置Ｐ２にて保持された状態から、例えば挿通口２１１を介して液晶表示器３１３の側面３１３ｂを本体３ｂの内部に向けて押し込むことにより、係止装置３６４による係止爪３６３の係止が解除されると、コイルバネ３６０の付勢力により移動体２０２が前方に向けて付勢されることになる。これにより、移動体２０２はガイドレール２０１ａ、２０１ｂに案内された状態でコイルバネ３６０に付勢されて前方の表示位置Ｐ１まで移動される。
【００９４】
このように本発明においては、液晶表示器３１３は表示位置Ｐ１と収容位置Ｐ２との間で移動自在に設けられていれば、上記実施例のカードユニット３のように液晶表示器３を駆動手段による駆動によらず、手動にて移動できるようになっていてもよい。特に本変形例のカードユニット３’においては、液晶表示器３１３を収容位置Ｐ２から表示位置Ｐ１に向けて付勢するコイルバネ３６０が設けられているため、収容位置Ｐ２に収容された液晶表示器３を遊技者が手で引っぱり出す必要がなく、収容部２００に向けて押し込む操作を行うだけで済むばかりか、表示位置Ｐ１までの移動がコイルバネ３６０にて補助されるため、表示位置Ｐ１と収容位置Ｐ２との間で液晶表示器３１３を容易に移動させることが出来る。
【００９５】
（変形例２）
上記実施例における液晶表示器３１３は、カードユニット３の本体３ｂ内部に設けられたガイドレール２０１ａ、２０１ｂにより表示位置Ｐ１と収容位置Ｐ２との間でスライド移動自在に案内されていたが、本発明はこれに限定されるものではなく、液晶表示器３１３は表示位置と収容位置との間で移動自在に設けられていれば、例えば回動軸を中心に回動自在に案内されるようになっていてもよい。
【００９６】
図８には、液晶表示器３１３を表示位置Ｐ１と収容位置Ｐ２との間で回動自在に設けられたカードユニット３’’の要部を示す概略構造図が示されている。本変形例におけるカードユニット３’’においては、移動体２０２の後端下部に設けられた水平方向を向く回動軸３７０が、カードユニット３の前面３ａの裏面における挿通口２１１の下端近傍に枢支されており、該回動軸３７０を中心として、移動体２０２及び液晶表示器３１３が表示位置Ｐ１と収容位置Ｐ２との間で回動自在に設けられている。なお、本変形例において上記実施例のカードユニット３と同様の構成部位や装置には同様の符号を付すことでここでの詳細な説明は省略することとする。
【００９７】
回動軸３７０は、移動体２０２内部に設けられた笠歯車３７１を介して移動用駆動モータ３７２に連係されており、該移動用駆動モータ３７２の駆動により移動体２０２が回動されるようになっている。また、移動用駆動モータ３７２にはロータリエンコーダが内蔵されており、移動体２０２の回動範囲はロータリエンコーダによる回転数の計測値に基づいて決定されているとともに、駆動制御は、上記実施例と同様にビジターカードや会員カードの受付、返却状況や残度数状況に応じた駆動制御とされている。
【００９８】
移動体２０２の後端上部には、表示位置Ｐ１に位置したときに開口している挿通口２１１の上半部を覆うための被覆片３７３が延設されているとともに、収容部２００には、収容位置Ｐ２に位置したときに被覆片３７３を下方から支持して回動規制する規制片３７４が設けられている。
【００９９】
このように構成されたカードユニット３においても、表示位置Ｐ１においては表示面３１２がカードユニット３の本体３ｂの前面３ａよりも前方位置となって遊技者に近づくため、使用時における液晶表示器３１３の表示面３１２の視認性の低下が防止されるとともに、例えば遊技者が液晶表示器３１３を使用しないときや対応するパチンコ機２にて遊技を行う遊技者がいないとき等の非使用時において、表示位置Ｐ１の液晶表示器３１３を収容部２００に収容することが出来るため、非使用時において液晶表示器３１３が遊技者や他の遊技客、店員等と干渉して邪魔になったり、干渉により液晶表示器３１３が故障することが防止される。
【０１００】
なお、本変形例における移動体２０２は移動用駆動モータ３７２にて回動自在とされているが、言うまでもなく回動軸３７０を中心として手動で回動させるように構成されていてもよい。
【０１０１】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１０２】
例えば、上記カードユニット３、３’、３’’においては、カードユニット３の収容部２００に収容されたとき、液晶表示器３１３の本体全体が収容部２００に完全に収容されるように構成されていたが、本発明はこれに限定されるものではなく、液晶表示器３１３の本体の少なくとも一部が収容されるように構成されていれば、収容部２００への収容時において液晶表示器３１３の本体の一部、例えば傾斜状に設けられた側面３１３ｂ等が前面３ａから突出されていてもよい。
【０１０３】
また、表示位置に位置したとき、表示面３１２に表示された表示内容の少なくとも一部を遊技者から視認出来るように構成されていれば、表示位置において必ずしも表示面３１２全体が前面３ａよりも前方とならなくてもよい。
【０１０４】
また、上記実施例における液晶表示器３１３は、ガイドレール２０１ａ、２０１ｂにて移動自在に案内された移動体２０２に軸部材２０５ａ、２０５ｂを介して回動自在に保持されていたが、液晶表示器３１３の本体自体がガイドレール２０１ａ、２０１ｂに直接移動自在に案内されている構成となっていてもよい。
【０１０５】
さらに、液晶表示器３１３は上下方向を向く軸部材２０５ａ、２０５ｂを介して移動体２０２に対して回動自在であったが、さらに水平方向を向く軸部材を設け、該軸部材を中心に回動自在として、表示面３１２の上下方向の角度を調整可能としてもよい。
【０１０６】
また、上記実施例における液晶表示器３１３は、カードユニット３の本体３ｂの前面３ａに対してほぼ直交する方向を向く姿勢で収容位置Ｐ２と表示位置Ｐ１との間で移動自在に案内されていたが、例えば液晶表示器３１３の正面３１３ａが前面３ａに対して完全に直交しない方向を向いていても、その姿勢にて移動することでカードユニット３の内部に収容出来る程度の傾きであれば前面３ａに対してほぼ直交する方向を向く姿勢であると言える。
【０１０７】
また、上記カードユニット３、３’’において、例えば液晶表示器３１３が表示位置Ｐ１に位置しているときや、表示位置Ｐ１への移動中において遊技者や店員の腕と干渉する等の何らかの要因により移動用駆動モータ３５５、３５７に所定以上の負荷が加わったことを検出する過負荷検出手段等を設け、該負荷検出手段にて移動用駆動モータ３５５、３５７に前記所定以上の負荷が加わったときに、液晶表示器３１３を収容位置Ｐ２に向けて移動させるようにすることで、遊技者や店員等が怪我をすることが防止されるため、安全性が向上するとともに、移動用駆動モータ３５５、３５７に過負荷がかかることによる故障の発生を効果的に回避することが出来る。なお、このような過負荷検出手段は回動用駆動モータ３５７に適用することも考えられ、この場合においても上記と同様の作用・効果が得られる。
【０１０８】
さらに、上記実施例及び変形例においては、画像表示装置として液晶表示器を適用していたが、遊技に関連する遊技関連情報を表示可能な表示装置であれば、表示装置として液晶表示器以外の表示装置、例えばＥＬ表示装置等、種々の表示装置を適用してもよい。
【０１０９】
また、本発明における画像表示装置には、上記実施例及び変形例にて適用した液晶表示器３１３の正面３１３ａや側面３１３ｂに設けられた各種ボタン以外の各種操作手段を設けてもよい。
【０１１０】
前記実施例における各要素は、本発明に対して以下のように対応している。
【０１１１】
本発明の請求項１は、遊技機（パチンコ機２）に対応付けて設置されるとともに、該遊技機の遊技に関連する遊技関連情報を画像表示可能な画像表示装置（液晶表示器３１３）を備え、前記遊技機の遊技に使用する遊技媒体（パチンコ球）を遊技者へ貸出可能な遊技用装置（カードユニット３）において、
前記画像表示装置を前記遊技用装置の本体（３ｂ）の内部に収容するための収容部（２００）と、
前記画像表示装置を、前記収容部に収容される収容位置（Ｐ２）と、前記遊技用装置の本体の前面（３ａ）よりも前方位置であり前記画像表示装置の表示面（３１２）に表示される表示内容が遊技者から視認可能となる表示位置（Ｐ１）と、の間で移動自在に案内するための移動案内手段（ガイドレール２０１ａ、２０１ｂ、棒部材２０７、ナット部材２０６、回動軸３７０）と、
を備える。
【０１１２】
本発明の請求項２は、前記移動案内手段は、前記画像表示装置（液晶表示器３１３）を前記遊技用装置（カードユニット３）の本体（３ｂ）前面（３ａ）に対してほぼ直交する方向を向く姿勢で前記収容位置（Ｐ２）と前記表示位置（Ｐ１）との間で移動自在に案内する案内部材（ガイドレール２０１ａ、２０１ｂ、棒部材２０７、ナット部材２０６、回動軸３７０）にて構成されている。
【０１１３】
本発明の請求項３は、前記移動案内手段（ガイドレール２０１ａ、２０１ｂ、棒部材２０７、ナット部材２０６、回動軸３７０）により移動自在に案内される移動体（２０２）を備え、前記画像表示装置（液晶表示器３１３）を、上下方向を向く軸部材（２０５ａ、２０５ｂ）を介して前記移動体に回動自在に保持した。
【０１１４】
本発明の請求項４は、遊技に使用可能な遊技用価値の大きさ（度数）を特定可能な遊技用価値情報（度数）が記録された遊技用記録媒体（ビジターカード（プリペイドカード））を受付け可能な遊技用記録媒体受付装置（カードリーダライタ３２７）と、
前記遊技用記録媒体受付装置に前記遊技用記録媒体が受付けられたか否かを判定または／および前記遊技用記録媒体受付装置に受付けられた遊技用記録媒体に記録された遊技用価値情報から特定される遊技に使用可能な遊技用価値の大きさがあるか否かを判定する遊技用記録媒体判定手段（制御ユニット３２８）と、
前記画像表示装置（液晶表示器３１３）を前記収容位置（Ｐ２）と前記表示位置（Ｐ１）との間で移動させるための駆動装置（移動用駆動モータ３５５）と、
該駆動装置の駆動制御を行う駆動制御手段（制御ユニット３２８）と、
を備え、
前記駆動制御手段は、
前記遊技用記録媒体判定手段が前記遊技用記録媒体が受付けられたと判定したときに、前記駆動装置を駆動して前記収容部（２００）に収容された前記画像表示装置を前記表示位置まで移動させ、または／および前記遊技用記録媒体判定手段が前記遊技用記録媒体に記録された遊技用価値情報から特定される遊技に使用可能な遊技用価値の大きさがないと判定したときに、前記駆動装置を駆動して前記表示位置に位置する前記前記画像表示装置を前記収容位置まで移動して前記収容部に収容させる制御を行う。
【０１１５】
本発明の請求項５は、会員を個々に識別可能な会員識別情報（会員ＩＤ）が記録された会員用記録媒体（会員カード）を受付け可能な会員用記録媒体受付装置（カードリーダライタ３２７）と、
前記会員用記録媒体受付装置に前記会員用記録媒体が受付けられたか否かを判定、または／および前記会員用記録媒体受付装置に受付けられた前記会員用記録媒体が返却されたか否かを判定する会員用記録媒体判定手段（制御ユニット３２８）と、
前記画像表示装置を前記収容位置（Ｐ２）と前記表示位置（Ｐ１）との間で移動させるための駆動装置（移動用駆動モータ３５５）と、
該駆動装置の駆動制御を行う駆動制御手段（制御ユニット３２８）と、
を備え、
前記駆動制御手段は、
前記会員用記録媒体判定手段が前記会員用記録媒体が受付けられたと判定したときに、前記駆動装置を駆動して前記収容部（２００）に収容された前記画像表示装置を前記表示位置まで移動させ、または／および前記会員用記録媒体判定手段が前記会員用記録媒体が返却されたと判定したときに、前記駆動装置を駆動して前記表示位置に位置する前記画像表示装置を前記収容位置まで移動して前記収容部に収容させる制御を行う。
【０１１６】
本発明の請求項６は、遊技者が操作する操作手段（球貸ボタン３５０、精算ボタン３５１、貯球ボタン３５２、角度調整ボタン３５３、３５４）を備え、
該操作手段は、前記画像表示装置（液晶表示器３１３）の表示面（３１２）に対して側方を向く側面（３１３ｂ）側に配置されている。
【０１１７】
本発明の請求項７は、遊技者が操作する操作手段（球貸ボタン３５０、精算ボタン３５１、貯球ボタン３５２、角度調整ボタン３５３、３５４）を備え、
該操作手段は、前記画像表示装置（液晶表示器３１３）の表示面（３１２）に対して側方を向くとともに、前記画像表示装置の表示面側に向けて傾斜する傾斜状に設けられた側面（３１３ｂ）側に配置されている。
【０１１８】
本発明の請求項８は、遊技者が操作する操作手段（球貸ボタン３５０、３５０’精算ボタン３５１、３５１’貯球ボタン３５２、３５２’、角度調整ボタン３５３、３５４）を備え、
該操作手段は、前記画像表示装置（液晶表示器３１３）の表示面（３１２）を有する表面（正面３１３ａ）と、該前記画像表示装置の表示面に対して側方を向く側面（３１３ｂ）と、に配置されている。
【０１１９】
【発明の効果】
本発明は次の効果を奏する。
【０１２０】
（ａ）請求項１の発明によれば、表示位置においては表示面が遊技用装置の本体の前面よりも前方位置となって遊技者に近づくため、使用時における画像表示装置の表示面の視認性の低下が防止されるとともに、例えば遊技者が画像表示装置を使用しないときや対応する遊技機にて遊技を行う遊技者がいないとき等の非使用時において、表示位置の画像表示装置を遊技用装置の本体の内部に設けられた収容部に収容することが出来るため、非使用時において画像表示装置が遊技者や他の遊技客、店員等と干渉して邪魔になったり、干渉による画像表示装置の故障が極力防止されるばかりか、表示面の大型化等を図ることが可能となる。
【０１２１】
（ｂ）請求項２の発明によれば、画像表示装置の表示面の大きさに関りなく、画像表示装置を遊技用装置の本体内部の収容部にコンパクトに収容することが出来る。
【０１２２】
（ｃ）請求項３の発明によれば、画像表示装置の表示面を上下方向を向く軸部材により回動させることにより、表示面を遊技者が見やすい角度に調整することが出来るため、表示面の視認性をより効果的に向上させることが出来る。
【０１２３】
（ｄ）請求項４の発明によれば、遊技用記録媒体の受付け状況や遊技用記録媒体に記録された遊技用価値情報から特定される遊技に使用可能な遊技用価値の大きさの状況に応じて画像表示装置が移動することになるため、遊技者は画像表示装置を移動させる操作を行うことなく画像表示装置を使用したり収容することが出来る。
【０１２４】
（ｅ）請求項５の発明によれば、会員用記録媒体の受付け状況や返却状況に応じて画像表示装置が移動することになるため、遊技者は画像表示装置を移動させる操作を行うことなく画像表示装置を使用したり収容することが出来る。
【０１２５】
（ｆ）請求項６の発明によれば、画像表示装置が収容部に収容されていても操作手段は遊技用装置の本体の前面側に位置することになるため、画像表示装置が収容部に収容された収容位置でも操作手段を操作することが出来る。
【０１２６】
（ｇ）請求項７の発明によれば、操作手段は、遊技者が視認する表示面側、すなわち、遊技者側に向けて配設されているため、遊技者側からの操作性がより向上する。
【０１２７】
（ｈ）請求項８の発明によれば、画像表示装置が収容部に収容された収納位置または表示位置のいずれの位置にあっても操作手段を操作することが出来る。
【図面の簡単な説明】
【図１】本発明の実施例において用いたパチンコ機並びにカードユニットの正面図である。
【図２】本発明の実施例におけるカードユニットに設けられた液晶表示器の正面図である。
【図３】本発明の実施例におけるカードユニットの構成を示すブロック図である。
【図４】（ａ）は液晶表示器が表示位置に位置しているときのカードユニット３の要部を示す横断面図であり、（ｂ）は（ａ）のＡ−Ａ断面図であり、（ｃ）は（ｂ）のＢ−Ｂ断面図である。
【図５】（ａ）は液晶表示器が収容位置に位置しているときのカードユニット３の要部を示す横断面図であり、（ｂ）は（ａ）のＣ−Ｃ断面図である。
【図６】操作手段の配置変形例を示す要部拡大図である。
【図７】（ａ）は本発明の変形例としてのカードユニット３’の要部を示す横断面図であり、（ｂ）は（ａ）のＤ−Ｄ断面図である。
【図８】（ａ）は本発明のさらに他の変形例としてのカードユニット３’’の液晶表示器が表示位置に位置している状態を示す縦断面図であり、（ｂ）は（ａ）の液晶表示器が収容位置に位置している状態を示す縦断面図である。
【符号の説明】
２        パチンコ機
３        カードユニット
２００    収容部
２０１ａ、２０１ｂ  ガイドレール
２０２    移動体
３１２    表示面
３１３    液晶表示器
３２７    カードリーダライタ
３５５    移動用駆動モータ
【図１】
2005021472.tif 000003
【図２】
2005021472.tif 000004
【図３】
2005021472.tif 000005
【図４】
2005021472.tif 000006
【図５】
2005021472.tif 000007
【図６】
2005021472.tif 000008
【図７】
2005021472.tif 000009
【図８】
2005021472.tif 000010